(57)【特許請求の範囲】
【請求項１】
前後方向に並べて、前後両端部を重ねて、側桁に固定して通路を構成する通路用のユニットであって、以下のような構成としたことを特徴とする通路用ユニット。
(1) 所定幅の平板の前後両端部を立ち上げて、前接合片、後ろ接合片を形成した横コ字状の底板を構成する。
(2) 前後方向に直行する方向を幅方向とし、平板の幅方向にそって突条を形成し該平板の幅方向の両端部に前記側桁との連結部を形成し、内装板を構成する。
(3) 前記底板の上面に、前記内装板を固定して、前記連結部を前記底板の幅方向の端縁に臨ませる。
【請求項２】
前接合片、後ろ接合片の一方又は両方の上端部を横方向に屈曲して補強部を形成すると共に、内装板の前後両端部を屈曲して立ち上げ部を形成した請求項１記載の通路用ユニット。
【請求項３】
以下のようにして構成したことを特徴とする通路。
(1) 前後方向両端部を立ち上げて、前接合片、後ろ接合片を形成して横コ字状の底板を構成する。前記底板の前後方向に直行する方向を幅方向とし、前記底板の幅方向に沿って突条を形成し、該突条の両端部に側板に固定する為の連結部を形成して、通路用ユニットとする。
(2) 複数の通路用ユニットを前後方向に並列して接合片を互いに重ねると共に、重ねた通路用ユニットの幅方向の一端又は両端に側板を当接して、前記通路用ユニットの連結部と前記側板とを固定する。
(3) 前記各接合片の上端に補強用鋼材を載せ、通路用ユニット内にモルタル類を充填し、前記補強用鋼材をモルタル類内に位置させる。
【発明の詳細な説明】
【技術分野】
【０００１】
この発明は、階段の踊り場や、歩行用の通路などを総称した通路、この通路に使用する単位枠材である通路用ユニットに関する。
【背景技術】
【０００２】
階段の踊り場の構造は各種提案されている。例えば、特許文献１のように、梁材１、片持ち梁３で床材４を支えて踊り場Ｂを構成していた。また、特許文献２では、押出形材製フレーム（梁）に、中空押出形材製床パネルを並べて架設した構造も提案されている。
【０００３】
これらの技術は、表面が薄い床材（特許文献１）、中空形材（特許文献２）であり、歩行中に鳴りを生じる問題点があった。鳴りを防止して安定した走行を図る為に、ユニット内に現場であるいは工場でモルタル類（モルタルやコンクリート等）を打設して、鳴りを防止し、安定した歩行ができる踊り場も提案されていた（特許文献３）。特許文献３では、ユニット相互やユニットと側板との溶接を不要とし、側板などの歪みを防止し、製品の精度を高め、製造の効率化を図っている。
【０００４】
特許文献３の通路用ユニット４０の構成は、要約すれば以下のとおりであった（図４）。即ち、垂直方向の補強板４２が形成された通路用ユニット４０を並べて、側桁２２、２２に固定し、モルタル２５を打設して、通路４５を構成していた（図４（ａ）（ｂ））。
【特許文献１】特開平６−１８００５２
【特許文献２】特開平１０−１６９０６２
【特許文献３】特開２００１−３１７１６９
【発明の開示】
【発明が解決しようとする課題】
【０００５】
この場合、踊り場を下方から見た場合、通路用ユニット４０の底面４１から垂直方向の補強板４２（ナットを収容する上下水平リブ付き）が露出しており（図４（ａ）（ｂ））、外観上見栄えが悪い場合もあり、この場合には、補強板４２を隠すように、通路４２の下面に装飾板４３を貼り、下面を覆う必要があった。
【課題を解決するための手段】
【０００６】
然るにこの発明は、上面側に接合片及び連結部を形成して通路用ユニットを構成したので、通路の底はフラットに形成でき、前記問題点を解決した。
【０００７】
即ちこの発明は、前後方向に並べて、前後両端部を重ねて、側桁に固定して通路を構成する通路用のユニットであって、以下のような構成としたことを特徴とする通路用ユニットである。  
(1) 所定幅の平板の前後両端部を立ち上げて、前接合片、後ろ接合片を形成した横コ字状の底板を構成する。  
(2) 前後方向に直行する方向を幅方向とし、平板の幅方向にそって突条を形成し該平板の幅方向の両端部に前記側桁との連結部を形成し、内装板を構成する。  
(3) 前記底板の上面に、前記内装板を固定して、前記連結部を前記底板の幅方向の端縁に臨ませる。
【０００８】
また、前記において、前接合片、後ろ接合片の一方又は両方の上端部を横方向に屈曲して補強部を形成すると共に、内装板の前後両端部を屈曲して立ち上げ部を形成した通路用ユニットである。
【０００９】
また、他の発明は、以下のようにして構成したことを特徴とする通路である。  
(1) 前後方向両端部を立ち上げて、前接合片、後ろ接合片を形成して横コ字状の底板を構成する。前記底板の前後方向に直行する方向を幅方向とし、前記底板の幅方向に沿って突条を形成し、該突条の両端部に側板に固定する為の連結部を形成して、通路用ユニットとする。  
(2) 複数の通路用ユニットを前後方向に並列して接合片を互いに重ねると共に、重ねた通路用ユニットの幅方向の一端又は両端に側板を当接して、前記通路用ユニットの連結部と前記側板とを固定する。  
(3) 前記各接合片の上端に補強用鋼材を載せ、通路用ユニット内にモルタル類を充填し、前記補強用鋼材をモルタル類内に位置させる。
【００１０】
前記における通路又は通路ユニットとは、主に階段用の踊り場、渡り廊下、スロープなど、人が歩行通過する装置であれば、名称にとらわれずに適用できる。
【発明の効果】
【００１１】
この発明は、前接合片、後ろ接合片を形成した横コ字状の底板を前後方向に連結したので、隣接する通路用ユニットで、前後接合片がかさなるので、補強されるので通路の強度を補強し、同一強度であれば全体の材厚を薄くできる。また、横コ字状の底板と内装板とを組み合わせて通路用ユニットを構成したので、通路路用ユニットの底面部を補強し、同様に通路用ユニットの材厚を薄くできる。
【００１２】
また、後ろ接合片を形成した横コ字状の底板を前後方向に連結し、側桁に取り付けて通路を構成したので、通路の組み立てを容易にすると共に、完成された通路の下面に突起物が形成されないので、見栄えが良く、通路に下面に仕上げ用の装飾板などを省略できる効果がある。
【００１３】
また、通路の下面に突起物が形成されず、フラットとすることができるので、通路の下面に直接に照明器具や煙感知器などを容易に取り付けることができる。この場合、通路の下面からの突起物が無いので、照明の遮断や煙感知に支障がでるおそれも無い。また、従来のように通路の下面に突起物がある場合、照明や煙感知器の設置に天井下地ボードが必要な場合もあり、この発明では、下地板を省略できる。
【００１４】
また、通路の下面をフラットにすることができるので、通路の下側にスペースを確保でき、通路を含む建築物で、設計の幅を広げることができる効果がある。
【００１５】
また、底板の前接合片に補強部を形成し、更に内装板に立ち上げ片を設けた場合には、更に通路用ユニットを補強できる。また、補強部は横方向に形成されるので、通路のモルタル内に割れ防止用の鋼材を埋設する場合に、補強部に各種取り付け手段（溶接、係止突起など）を形成すれば、モルタルの打設時のずれを防止できる。
【発明を実施するための最良の形態】
【００１６】
この発明の踊り場ユニット２０は、以下のようにして構成する（図１）。
【００１７】
（１）  所定幅の平板の前後両端部を立ち上げて、前接合片２、後ろ接合片４を形成して、横コ字状の底板６とする。前接合片２の先端部を更に横方向に屈曲して、補強部３を形成する。
【００１８】
（２）  前後方向に直行する方向を幅方向とする。平板の幅方向にそって上向きに突条９、１０を形成して平板の幅方向の両端部に、側桁２２と連結できる長ナット１６を取り付けて、内装板１４を構成する。内装板１４の前後方向の両端部を斜めに立ち上げて、立ち上げ片１１、１２を形成してある。
【００１９】
（３）  底板６の上面６ａに、内装板１４を載置固定して、長ナット１６を底板６の幅方向の端縁７に臨ませる。内装板１４の立ち上げ片１１、１２は斜めに形成され、空隙１７を夫々形成するように、先端１１ａ、１２ａを接合片２、４に当接してあるので、踊り場ユニット２０は剛性を保つ。
【００２０】
また、この発明の踊り場３０は以下のように構成する（図２）。
【００２１】
（１）  複数の通路用ユニット２０、２０を前後方向に並列して、前後の接合片２、４を互いに重ねると共に、重ねた通路用ユニットの両側から側板２２、２２を当接して、側板２２の透孔２３からボルト２６を挿入して、長ナット１６に螺合して、通路用ユニット２０、２０と側板２２、２２とを固定する。
【００２２】
（２）  各接合片２、４の上端に補強用鋼材（ワイヤーメッシュや格子鉄筋などモルタル類２５の割れを防止する）２４を載せ、通路用ユニット２０、２０内にモルタル類（モルタル、コンクリートなどの水硬性材料）２５を充填し、接合片２，４、突条２、４、補強用鋼材２４をモルタル類２５内に位置させる。構築された踊り場３０では、踊り場ユニット２０の底板６、６の下面６ｂが露出して下面６ｂに突起物が形成されないので、踊り場３０の下面をフラットに形成できる。
【実施例１】
【００２３】
図１〜図３に基づきこの発明の実施例を説明する。この実施例は、通路を階段用の踊り場に適用する実施例である。
【００２４】
［１］踊り場用ユニット（通路用ユニット）２０の構成
【００２５】
（１）  水平に配置した基板（鋼板）１の前端部及び後端部を垂直に立ち上げて、前接合片２、後ろ接合片４とする。前接合片２は、先端部を更に、横方向（ほぼ水平）外方に屈曲して補強部３を形成する。以上のようにして、前後方向の長さ（接合片２、４間の距離）Ｌ１（＝３００ｍｍ）、幅（前後方向に直行する長さ）Ｄ１（＝１２００ｍｍ）の底板を構成する（図１）。接合片２は高さＨ１で設置されている。尚、底板６の幅Ｄ１は、適用する階段の階段幅に応じて適宜設定する。
【００２６】
（２）  水平に配置した基板（鋼板）８の前後方向の中間部を屈曲して上方に凸の突条（前側）９、突条（後側）１０を形成する。基板８で、前後方向に直行する方向を幅方向とし、突条９、１０は幅方向の全長に亘り形成し、幅方向の両端部に長ナット１６を嵌挿できる断面形状に形成されている。従って、突条９、１０は、基板８の下面側から見れば長ナット１６を収容できる溝となっている。また、突条９、１０は前後方向で２本形成する。
【００２７】
また、突条９、１０を形成した基板８の前端部及び後端部を立ち上げて、立ち上げ片（前端）１１、立ち上げ片（後端）１２を形成する。立ち上げ片１１、１２は先端側１１ａ、１２ａ間に距離が広くなるように、若干外方に広げて形成して、内装板１４を構成する（図１）。内装板１４の幅（立ち上げ片１１、１２間の距離）Ｌ２（＜Ｌ１）となるように、形成する。また、内装板１４（基板８）の幅は、底板６と同じ幅Ｄで形成されている。
【００２８】
（３）  続いて、底板６の上面６ａに、突条９、１０の両端部に長ナット１６、１６を嵌挿した内装板１４を載置し、底板６の上面６ａと内装板１４の下面１４ｂとを密着し、必要箇所を溶接する。この際、内装板１４の立ち上げ片１１、１２の上縁１１ａ、１２ａは、底板６の両接合片２、４の内面に当接し、この当接点と底板６の内面、内装板１４の外面との間に断面三角形の空隙１７が夫々形成される（図１（ｂ））。
【００２９】
（４）  以上のようにして、踊り場用ユニット２０を構成する（図１（ａ）（ｂ））。
【００３０】
踊り場用ユニット２０では、空隙１７、１７が形成されるように、内装板４の立ち上げ片１１，１２を斜めに立ち上げ（即ち、内装板４の上面４ａと立ち上げ片１１、１２と成す角が鈍角となる）、立ち上げ片１１の先端１１ａを前接合片２に当接し、立ち上げ片１２の先端１２ａを後ろ接合片４に当接される。よって、踊り場用ユニット２０を単独の状態（連結してモルタルを打設する前）で、外部から力が加わっても、曲がり難く剛性を保ち、寸法精度を保つことができる。
【００３１】
［２］階段用の踊り場（通路）３０の構成
【００３２】
前記通路ユニット２０の使用、即ち通路ユニット２０、２０を使用した階段用の踊り場３０の実施例について説明する。
【００３３】
（１）  踊り場用ユニット２０、２０を挟み支持する側桁２２、２２は、予め、連結する予定の通路用ユニット２０の長ナット１６、１６の螺孔の位置に併せて透孔２３、２３を穿設してある。この実施例では、例えば、側桁２２の高さＨ（＝３００ｍｍ）、モルタルの厚さＨ３（＝１００ｍｍ）となるように、透孔２３、２３の位置が設定されている。
【００３４】
（２）  通路用ユニット２０を前後方向に必要数を並べながら、側桁２２、２２の透孔２３、２３に外方から挿入したボルト２６を、踊り場用ユニット２０の長ナット１６、１６に螺合する。また、前後方向に隣接する通路用ユニット２０は、一方の前接合片１１の外面と、他方の後ろ接合片１２の外面とが当接する。
【００３５】
（３）  このようにして、総ての通路用ユニット２０、２０の取付が完了したならば、連結した通路用ユニット２０、２０の上面を塞ぐように、ワイヤーメッシュ（ワイヤー径６ｍｍ）２４、２４を被せる。ワイヤーメッシュ２４は、踊り場用ユニット２０、２０の底板６の前接合片２の上端に支持されて、底板６から所定高さＨ１に保持される。また、前接合片２の上端部を屈曲して補強部３を形成してあるので、ワイヤーメッシュ２４、２４は安定して保持される。
【００３６】
また、この際、踊り場用ユニット２０とワイヤーメッシュ２４、２４とを溶接して固定することもできる。補強部３の上面が平面状となっているので、必要ならばワイヤーメッシュ２４、２４と溶接することもでき、この場合、平面状であるので溶接作業が容易である。
【００３７】
（４）  続いて、側桁２２、２２間（連結した踊り場用ユニット２０、２０内）にモルタル２５を打設する。この際、ワイヤーメッシュ２４、２４が載せられた前接合片２は、隣接する後ろ接合片４が当接し、さらに内装板１４の立ち上げ片１１、１２の上端１１ａ、１２ａが当接しているので、モルタル２５の圧力によっても立ち上げ片１１、１２が曲がることを防止できる。
【００３８】
（５）  モルタル２５が固化発現したならば、この発明の階段用の踊り場（通路）３０を構成する（図２（ａ）（ｂ））。この階段用の踊り場３０は通常の踊り場と同様に、ささら桁に段板を取り付けた鉄骨階段に組み込んで使用する（図示していない）。この踊り場３０は、下方から見上げた場合、踊り場用ユニット２０、２０の継ぎ目（底板５、５の継ぎ目）が幅方向に見えるだけであり、他の補強用の部材が露出しないので、階段をすっきりとした外観とすることができる。従って、階段の設計の幅を広げることができ、踊り場３０の底を覆う為の各種の装飾を省略することができる。
【００３９】
また、突条９、１０内、空隙１７、１７内にはモルタルが充填されず、空洞のままになる。
【００４０】
（６）  踊り場３０の製造は、以下のいずれの方法によっても構築できる。  
・踊り場３０の全体を工場で製造する。  
・モルタル２５の打設のみを現場で行い、他は工場で製造する。  
・踊り場用ユニット２０、２０の状態で現場に搬入し、現場で側桁２２、２２に踊り場用ユニット２０、２０を固定して、モルタルを打設する。
【００４１】
［３］他の実施例
【００４２】
（１）  前記実施例において、前接合片１１に補強部を形成したが、省略することもできる（図示していない）。
【００４３】
また、後ろ接合片１２の上端部を水平で内側に屈曲して補強部５を形成し、隣接する他の踊り場用ユニット２０の前接合片１１の外面及び上面に密着できる構造とすることもできる（図３（ａ））。この場合、連結した踊り場用ユニット２０を補強できるので、踊り場用ユニット２０全体の材厚を薄くすることもできる。この場合、更に前接合片１１の補強部の先端側を下方に折り曲げて下垂れ部３ａを形成して、補強を強化することもできる（図３（ｂ））。
【００４４】
（２）  また、前記実施例において、長ナット１６を収容する突条９、１０を、内装板１４の幅方向の全長に形成したが、幅方向の端１５、１５に、長ナット１６の螺孔が臨むように長ナット１６、１６を固定できれば、突条９、１０は内装板１４の端１５、１５側にのみ形成することもできる（図示していない）。更に幅方向の端１５、１５に、長ナット１６の螺孔が臨むように、底板６の上面に長ナット１６、１６を固定することができれば、内装板１４を省略することもできる（図示していない）。
【００４５】
（３）  また、前記実施例において、空隙１７、１７が形成されるように、内装板４の立ち上げ片１１，１２を斜めに立ち上げたが、空隙１７、１７が形成されないように、立ち上げ片１１、１２を鉛直に立ち上げ、立ち上げ片１１、１２を接合片２、４に沿わせることもできる（図示していない）。
【図面の簡単な説明】
【００４６】
【図１】この発明の踊り場用ユニットの実施例で、（ａ）は平面図、（ｂ）はＡ−Ａ断面図である。
【図２】この発明の踊り場の実施例で、（ａ）は縦断面図、（ｂ）はＢ−Ｂ断面図である。
【図３】（ａ）（ｂ）は、この発明の踊り場用ユニットの他の実施例の一部正面図である。
【図４】従来例の通路の実施例で、（ａ）は縦断面図、（ｂ）はＣ−Ｃ断面図である。
【符号の説明】
【００４７】
１    基板（底板）
２    前接合片
３    前接合片の補強部
４    後ろ接合片
６    底板
６ａ  底板の上面
６ｂ  底板の下面
７    底板の幅方向の端
８    基板（内装板）
９    突条
１０  突条
１１  立ち上げ片
１１ａ  立ち上げ片の先端
１２  立ち上げ片
１２ａ  立ち上げ片の先端
１４  内装板
１４ａ  内装板の上面
１４ｂ  内装板の下面
１５  内装板の幅方向の端
１６  長ナット
１７  空隙
２０  踊り場ユニット（通路用ユニット）
２２  側枠
２３  側枠の透孔
２４  ワイヤーメッシュ
２５  モルタル
２６  ボルト
３０  踊り場（通路）
４０  通路用ユニット（従来）
４１  通路用ユニット（従来）の底面
４２  補強板（従来）
４３  装飾板（従来）
４５  通路（従来）
【図１】
0004766424.tif 000002
【図２】
0004766424.tif 000003
【図３】
0004766424.tif 000004
【図４】
0004766424.tif 000005